(57)【要約】【課題】変形保持性に優れる等の利点を有するパッドタイプ吸収性物品を提供する。【解決手段】上記課題は、トップシート２及びバックシート１の間に設けられた細長状の引張部材４を有し、引張部材４は、変形保持領域Ｔの周縁部に位置する第１部分４ａと、この第１部分４ａから変形保持領域Ｔを横断して延びる第２部分４ｂとを有し、第１部分４ａは、その表裏いずれか一方側又は両側に隣接する部材に固定されており、第２部分４ｂは、第１部分４ａと反対側の端部を含む摘み部４ｄと、第１部分４ａと摘み部４ｄとの間に位置する自由部分４ｃとを有し、自由部分４ｃは、その表裏両側に隣接する部材に固定されていない部分であり、摘み部４ｄは、パッドタイプ吸収性物品１０の外部に突出する部分である、パッドタイプ吸収性物品１０により解決される。【選択図】図１
2020130647.tif 000002
【特許請求の範囲】
【請求項１】
吸収体と、吸収体の表側を覆う液透過性のトップシートと、吸収体の裏側を覆うバックシートとを備えたパッドタイプ吸収性物品において、
前記トップシート及びバックシートの間に設けられた細長状の引張部材を有し、
前記引張部材は、変形保持領域の周縁部に位置する第１部分と、この第１部分から前記変形保持領域を横断して延びる第２部分とを有し、
前記第１部分は、その表裏いずれか一方側又は両側に隣接する部材に固定されており、
前記第２部分は、前記第１部分と反対側の端部を含む摘み部と、前記第１部分と前記摘み部との間に位置する自由部分とを有し、
前記自由部分は、その表裏両側に隣接する部材に固定されていない部分であり、
前記摘み部は、パッドタイプ吸収性物品の外部に突出する部分であるか、又は周囲から分離可能な部分に固定された部分である、
ことを特徴とするパッドタイプ吸収性物品。
【請求項２】
展開状態で、縦方向に沿う長辺と、横方向に沿う短辺を有する長方形状をなしており、
前記引張部材として、前記吸収体と前記トップシートとの間を通り、前記吸収体の縦方向の一端部から、縦方向に沿って前記吸収体を横断して、少なくともパッドタイプ吸収性物品の他端部まで延びる、引張部材を含む、
請求項１記載のパッドタイプ吸収性物品。
【請求項３】
展開状態で、縦方向に沿う長辺と、横方向に沿う短辺を有する長方形状をなしており、
前記吸収体の横方向の両側に延び出たサイドフラップを有し、
前記引張部材として、前記サイドフラップにおける縦方向の一端部から、縦方向に沿って、少なくとも前記サイドフラップにおける縦方向の他端部まで延びる、引張部材を含む、
請求項１又は２記載のパッドタイプ吸収性物品。
【請求項４】
前記吸収体は、高吸収性ポリマーを含み、
前記第１部分は、水溶性接着剤を介して、その表裏いずれか一方側又は両側に隣接する部材に固定されているとともに、排泄物の液分と接触可能な位置に設けられている、
請求項１〜３のいずれか１項に記載のパッドタイプ吸収性物品。
【請求項５】
第１部分は、吸収体と重なる位置又は吸収体の周縁に近接した位置にのみ設けられている、
請求項４記載のパッドタイプ吸収性物品。
【請求項６】
前記引張部材は長手方向に弾性伸縮する弾性部材である、
請求項１〜５のいずれか１項に記載のパッドタイプ吸収性物品。
【請求項７】
前記吸収体の周縁よりも外側に延び出たフラップを有し、
前記フラップは、ミシン目を介して切離し可能に連結された分離部を有しており、
前記第２部分の前記摘み部は、前記分離部に固定されている、
請求項１〜６のいずれか１項に記載のパッドタイプ吸収性物品。
【発明の詳細な説明】
【技術分野】
【０００１】
本発明は、筒状等に変形して使用されるパッドタイプ吸収性物品に関するものである。
【背景技術】
【０００２】
吸収性物品（おむつ）としては、パッドタイプ、テープタイプ、パンツタイプ等の基本吸収性物品（アウターとも呼ばれる）の他に、これらと併用することを想定した、より小型のパッドタイプ吸収性物品（インナーとも呼ばれる）が提供されており、これらの組合せは特にケア施設等の介護現場において汎用されている。
【０００３】
特に装着者が男性の場合、排尿位置が陰茎の位置により変化するため、脚周りからの漏れが発生しやすいという問題があり、介護現場ではこの問題を解決するために、パッドタイプ吸収性物品を用い、蛇腹状に折り曲げて、谷部に陰茎を配置することにより、鼠径部から股間までの両脚の付根の溝に発生する隙間を埋めるようにしたり、円錐状に丸めて陰茎に巻き付けたりする（以下、男性巻きともいう）、といった対応が取られている（例えば、特許文献１，２参照）。女性の場合にも、パッドタイプ吸収性物品を蛇腹状に折り曲げて、鼠径部から股間までの両脚の付根の溝に発生する隙間等、適宜の位置の隙間を埋めるといった対応が取られることがある。
【０００４】
このような装着形態では、パッドタイプ吸収性物品を折ったり、丸めたりする必要があるが、パッドタイプ吸収性物品は吸収体を内蔵していることもあって、ある程度の剛性を有しており、所望の形状に変形し、その形状を維持させることは容易とはいえないものである。
【０００５】
この問題を解決するものとして、特許文献３，４記載のように、線状の易折り曲げ部を、エンボス加工等により縦方向に間隔を空けて形成することも提案されている。
【０００６】
しかし、特許文献３，４記載のものは、変形後の形状で固定されるわけではないため、変形保持性に改良の余地がある。また、吸収体に易折り曲げ部を設けると、排泄物の液分が易折り曲げ部に沿って拡散しやすくなる等、吸収特性に影響を及ぼす点も問題である。
【先行技術文献】
【特許文献】
【０００７】
【特許文献１】特開２００６−２１２４５２号公報
【特許文献２】特開２００１−１２９０１２号公報
【特許文献３】特開２００９−１７８２３５号公報
【特許文献４】特開２０１２−２０５７９２号公報
【発明の概要】
【発明が解決しようとする課題】
【０００８】
そこで、本発明の主たる課題は、変形保持性に優れる等の利点を有するパッドタイプ吸収性物品を提供することにある。
【課題を解決するための手段】
【０００９】
上記課題を解決したパッドタイプ吸収性物品は以下のとおりである。
＜第１の態様＞
吸収体と、吸収体の表側を覆う液透過性のトップシートと、吸収体の裏側を覆うバックシートとを備えたパッドタイプ吸収性物品において、
前記トップシート及びバックシートの間に設けられた細長状の引張部材を有し、
前記引張部材は、変形保持領域の周縁部に位置する第１部分と、この第１部分から前記変形保持領域を横断して延びる第２部分とを有し、
前記第１部分は、その表裏いずれか一方側又は両側に隣接する部材に固定されており、
前記第２部分は、前記第１部分と反対側の端部を含む摘み部と、前記第１部分と前記摘み部との間に位置する自由部分とを有し、
前記自由部分は、その表裏両側に隣接する部材に固定されていない部分であり、
前記摘み部は、パッドタイプ吸収性物品の外部に突出する部分であるか、又は周囲から分離可能な部分に固定された部分である、
ことを特徴とするパッドタイプ吸収性物品。
【００１０】
（作用効果）
本パッドタイプ吸収性物品は、引張部材の摘み部を摘まんで引張部材を引き出し、引張部材の通過部分を引張部材の通過方向に収縮しつつ、その収縮状態でバランスする（又はバランスしやすい）形状に変形保持領域を変形させると、引張部材を有しないものと比べて、変形が保持される。これは、引き出した引張部材が、その表裏両側に圧接する部材との摩擦力により、あるいは引張部材を巻き付けて、巻き付けた部分とパッドタイプ吸収性物品との間に挟む等により引き込まれなくなり（元に戻らなくなり）、引張部材の通過部分に作用する収縮力が維持される結果、変形形状が保持されることによるものである。
【００１１】
＜第２の態様＞
展開状態で、縦方向に沿う長辺と、横方向に沿う短辺を有する長方形状をなしており、
前記引張部材として、前記吸収体と前記トップシートとの間を通り、前記吸収体の縦方向の一端部から、縦方向に沿って前記吸収体を横断して、少なくともパッドタイプ吸収性物品の他端部まで延びる、引張部材を含む、
第１の態様のパッドタイプ吸収性物品。
【００１２】
（作用効果）
本パッドタイプ吸収性物品で引張部材を引き出すと、トップシート側が縦方向に収縮するため、変形保持領域はトップシートが曲率中心側となるような曲がった形状に変形しやすい（バランス形状）。よって、本パッドタイプ吸収性物品は筒状や円錐状、又は円錐台状に変形するのに適しており、そのため男性巻きに適している。また、同様の理由により、本パッドタイプ吸収性物品は、トップシートが曲率中心側となるような曲がった形状の部分を縦方向に複数有する蛇腹状に変形するのにも適している。
【００１３】
＜第３の態様＞
展開状態で、縦方向に沿う長辺と、横方向に沿う短辺を有する長方形状をなしており、
前記吸収体の横方向の両側に延び出たサイドフラップを有し、
前記引張部材として、前記サイドフラップにおける縦方向の一端部から、縦方向に沿って、少なくとも前記サイドフラップにおける縦方向の他端部まで延びる、引張部材を含む、
第１又は２の態様のパッドタイプ吸収性物品。
【００１４】
（作用効果）
本パッドタイプ吸収性物品で引張部材を引き出すと、吸収体を有しないサイドフラップが縦方向に収縮するため、変形保持領域はトップシートが曲率中心側となるような曲がった形状、及びバックシートが曲率中心側となるような曲がった形状の、いずれにも変形しやすい（バランス形状）。よって、本パッドタイプ吸収性物品は筒状や円錐状、又は円錐台状に変形するのに適しており、そのため男性巻きに適している。特に、引張部材を引き出すことにより、サイドフラップを渦巻き状にきつく絞ることができるため、先端部が閉じた男性巻きを実現できるという利点もある。
【００１５】
＜第４の態様＞
前記吸収体は、高吸収性ポリマーを含み、
前記第１部分は、水溶性接着剤を介して、その表裏いずれか一方側又は両側に隣接する部材に固定されているとともに、排泄物の液分と接触可能な位置に設けられている、
第１〜３のいずれか１つの態様のパッドタイプ吸収性物品。
【００１６】
（作用効果）
高吸収性ポリマーは、排泄物の液分を吸収する際に膨張を伴う。そのため、高吸収性ポリマーの膨張が阻害されることは吸収が阻害されることを意味する。しかし、パッドタイプ吸収性物品を筒状等に変形すると、吸収体は部分的に圧縮されるため、そのまま排泄物の液分を吸収しようとすると、高吸収性ポリマーの膨張（吸収）が阻害される。これに対して、本態様のように、引張部材の第１部分が水溶性接着剤により固定されていると、引張部材の第１部分と排泄物の液分との接触により、引張部材の固定が外れる。つまり、パッドタイプ吸収性物品における引張部材の通過部分が引張部材に対して移動可能となり、引張部材による変形保持作用が弱くなる。この結果、吸収体（高吸収性ポリマー）の膨張力により、その膨張を許容するように、パッドタイプ吸収性物品の筒状等の形状が広がることができる（緩くなる）。よって、排泄物の液分を吸収する際の吸収阻害を低減することができる。
【００１７】
＜第５の態様＞
第１部分は、吸収体と重なる位置又は吸収体の周縁に近接した位置にのみ設けられている、
第４の態様のパッドタイプ吸収性物品。
【００１８】
（作用効果）
引張部材の第１部分の固定を水溶性接着剤により行う場合、第１部分の位置はこの範囲内であると好ましい。
【００１９】
＜第６の態様＞
前記引張部材は長手方向に弾性伸縮する弾性部材である、
第１〜５のいずれか１つの態様のパッドタイプ吸収性物品。
【００２０】
（作用効果）
引張部材がこのような弾性部材であると、引張部材を引き出して変形保持領域を変形するのに伴い弾性部材が伸長し、その収縮力が変形保持領域における引張部材の通過部分に作用するため、変形状態が弾力的に保持され、装着者の身体表面に対するフィット性が良好となる。また、引張部材が弾性伸長可能であるため、前述の吸収阻害の低減を図ることもできる。特に、引張部材がゴム等の弾性材そのものであると、表面の摩擦力が強くなり、一度引き出した引張部材が引き込まれにくくなるため好ましい。
【００２１】
＜第７の態様＞
前記吸収体の周縁よりも外側に延び出たフラップを有し、
前記フラップは、ミシン目を介して切離し可能に連結された分離部を有しており、
前記第２部分の前記摘み部は、前記分離部に固定されている、
第１〜６のいずれか１つの態様のパッドタイプ吸収性物品。
【００２２】
（作用効果）
パッドタイプ吸収性物品を製造する場合、個々のパッドタイプ吸収性物品となる部分がＭＤ方向に繰り返す連続帯を形成した後に、ＭＤ方向に隣接する個々のパッドタイプ吸収性物品となる部分の境界で切断する方法が一般的である。このような製造方法では、引張部材を製品の周縁から突出させることは不可能ではないが、容易ではない。これに対して、本態様のようにフラップに分離部を設け、この分離部に引張部材の摘み部を固定すると、引張部材を製品の周縁から突出させなくとも済むため、製造が容易となるだけでなく、引張部材の摘み部を摘まみやすくなるという利点ももたらされる。
【発明の効果】
【００２３】
本発明によれば、変形保持性に優れるようになる、等の利点がもたらされる。
【図面の簡単な説明】
【００２４】
【図１】展開状態のパッドタイプ吸収性物品の表側を示す平面図である。
【図２】展開状態のパッドタイプ吸収性物品の裏側を示す平面図である。
【図３】図１のＡ−Ａ断面図である。
【図４】（ａ）図１のＢ−Ｂ断面図、（ｂ）図１のＣ−Ｃ断面図である。
【図５】筒状に変形したパッドタイプ吸収性物品の斜視図である。
【図６】蛇腹状に変形したパッドタイプ吸収性物品の斜視図である。
【図７】展開状態のパッドタイプ吸収性物品の表側を示す平面図である。
【図８】展開状態のパッドタイプ吸収性物品の裏側を示す平面図である。
【図９】図７のＡ−Ａ断面図である。
【図１０】（ａ）図１のＢ−Ｂ断面図、（ｂ）図１のＣ−Ｃ断面図、（ｃ）図１のＤ−Ｄ断面図である。
【図１１】円錐台状に変形したパッドタイプ吸収性物品の斜視図である。
【図１２】展開状態のパッドタイプ吸収性物品の表側を示す平面図である。
【図１３】図１のＡ−Ａ断面に相当する断面図である。
【図１４】展開状態のパッドタイプ吸収性物品の表側を示す平面図である。
【発明を実施するための形態】
【００２５】
以下、パッドタイプ吸収性物品の例について添付図面を参照しつつ説明する。なお、図中の点模様部分はその表側及び裏側に位置する各構成部材を接合する接合手段としての接着剤ＨＭ，ＨＭ１を示しており、ホットメルト接着剤のベタ、ビード、カーテン、サミット若しくはスパイラル塗布、又はパターンコート（凸版方式でのホットメルト接着剤の転写）などにより、あるいは弾性部材の固定部分はこれに代えて又はこれとともにコームガンやシュアラップ塗布などの弾性部材の外周面への塗布により付与されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２６】
また、以下の説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（同一又は類似の不織布層が積層されたＳＳＳ不織布等の他、異なる不織布層が積層された、スパンボンド層間にメルトブローン層を挟んだＳＭＳ不織布、ＳＭＭＳ不織布等）等に分類されるが、これらのどの不織布も用いることができる。積層不織布は、すべての層を含む一体の不織布として製造され、すべての層にわたる繊維結合加工がなされたものを意味し、別々に製造された複数の不織布をホットメルト接着剤等の接合手段により貼り合わせたものは含まない。
【００２７】
図１〜図４は、テープタイプ使い捨ておむつや、パンツタイプ使い捨ておむつ等の基本吸収性物品とともに補助的に使用されるパッドタイプ吸収性物品１０を示している。このパッドタイプ吸収性物品１０は、一体的な吸収体３と、吸収体３の表面を被覆する液透過性のトップシート２と、吸収体３の裏面を被覆する液透過性のバックシート１とを備えたものであり、展開状態ではほぼ平坦であり、吸収性物品の表裏いずれの面からも吸収がなされるものである。パッドタイプ吸収性物品１０の形状は特に限定されず、図示例のような長方形状や、正方形状とするほか、多角形状や、円形状や楕円形状等、任意の形状とすることができる。また、パッドタイプ吸収性物品１０の各部の寸法は適宜定めることができ、例えば、長辺に沿う縦方向ＬＤの寸法（長さ）Ｌは２００〜４８０ｍｍ程度、短辺に沿う横方向ＷＤの寸法（幅）Ｗは１２０〜２００ｍｍ程度とすることができる。以下、各部の素材及び特徴部分について順に説明する。
【００２８】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体３はクレープ紙や不織布（図示せず）により包むことができる。また、吸収体３の形状は、長方形状等、適宜の形状とすることができる。吸収体３における繊維目付け及び高吸収性ポリマーの目付けは適宜定めることができるが、繊維目付けは１００〜６００ｇ／ｍ2程度とするのが好ましく、また高吸収性ポリマーの目付けは５０〜４００ｇ／ｍ2程度とするのが好ましい。
【００２９】
吸収体３の表側は、トップシート２により覆われている。吸収体３の裏側には、バックシート１が設けられている。トップシート２及びバックシート１としては、有孔又は無孔の不織布や穴あきプラスチックシートなどを用いることができる。
【００３０】
バックシート１として、液不透過性シートを用いることも可能であり、その場合には吸収体３の表面からのみ吸収がなされ、裏側からの吸収及び裏側への液の透過は発生しない。液不透過性シート１ｉは特に限定されるものではないが、ムレ防止の点から遮水性を損なわずに透湿性を備えたシートも用いることが望ましい。この遮水・透湿性シートの代表例は、例えばポリエチレンやポリプロピレン等のオレフィン樹脂中に無機充填材を溶融混練してシートを形成した後、一軸又は二軸方向に延伸することにより得られる微多孔性シートである。また、図１３（ｂ）に示すように、吸収体３の裏側に液不透過性シート１ｉを配置するとともに、液不透過性シート１ｉ裏面を外装不織布１ｎで覆うこともできる。この場合、外装不織布１ｎがバックシート１となる。
【００３１】
図１、図１２及び図１４における点模様部分は、トップシート２と、その裏側に位置する部材との接合領域を示しており、図２及び図８における点模様部分は、バックシート１と、その表側に位置する部材との接合領域を示している。トップシート２及びバックシート１は、図示例では吸収体３の周囲からはみ出した部分が接合されており、その結果として、吸収体３の縦方向両側には、吸収体３の存在しないエンドフラップＥＦが形成され、吸収体３の横方向両側には、吸収体３の存在しないサイドフラップＳＦが形成されている。トップシート２及びバックシート１の少なくとも一方を吸収体３の周縁部を巻き込むように延在させることで周囲の一部（例えば側部）又は全部にフラップＥＦ，ＳＦを有しない構造とすることもできる。
【００３２】
本パッドタイプ吸収性物品１０は、筒状や円錐状、円錐台状、又は蛇腹状に変形させて使用することができる。この変形を保持することは装着感の向上や漏れ防止性の向上につながるため重要であるため、以下のような変形保持性を向上するための手段を設けるのは好ましい。すなわち、図示例では、変形保持領域Ｔの周縁部に位置する第１部分４ａと、この第１部分４ａから変形保持領域Ｔを横断して延びる第２部分４ｂとを有する、細長状の引張部材４が、トップシート２及びバックシート１の間に設けられている。変形保持領域Ｔは、変形保持性を向上させる領域であり、適宜定めることができる。例えば、変形保持領域Ｔは、吸収体３の全体を含む、パッドタイプ吸収性物品１０のほぼ全体とすることができる他、任意の一部分のみとすることもできる。換言すると、変形保持領域Ｔは引張部材４の配置により定まり、引張部材４の長手方向では第１部分４ａから、第２部分４ｂのうちのパッドタイプ吸収性物品１０内に位置する部分までの範囲を有し、引張部材４の長手方向と直交する方向ではパッドタイプ吸収性物品１０の両端にわたる範囲を有する。
【００３３】
引張部材４の第１部分４ａは、その表裏両側（いずれか一方側のみでもよい）に隣接する部材に固定されている。第１部分４ａの固定対象の部材は、第１部分４ａの位置で引張部材４が厚み方向のどの部材間に位置するかにより決まるものである。図３及び図４に示す例では、引張部材４の第１部分４ａは吸収体３の上面とトップシート２の下面との間に挟まれ、それらに対して接着剤ＨＭにより固定されている。一方、図９に示す例では、引張部材４の第１部分４ａはバックシート１の上面とトップシート２の下面との間に挟まれ、それらに対して固定されている。図１３（ａ）に示す例の第１部分４ａは、バックシート１の上面と液不透過性シート１ｉの下面との間に挟まれ、それらに対して固定され、図１３（ｂ）に示す例の第１部分４ａは、バックシート１の上面と液不透過性シート１ｉの下面との間に挟まれ、それらに対して固定されている。
【００３４】
一方、引張部材４の第２部分４ｂは、第１部分４ａと反対側の端部を含む摘み部４ｄと、第１部分４ａと摘み部４ｄとの間に位置する自由部分４ｃとを有する。摘み部４ｄは、図１等に示す例では、パッドタイプ吸収性物品１０の外部に突出する部分である。自由部分４ｃは、その表裏両側に隣接する部材に固定されていない部分である。換言すると、自由部分４ｃの通過部分では、その表裏両側に隣接する部材同士が接合されておらず、自由部分４ｃの移動通路５が形成され、自由部分４ｃはこの移動通路５内に収容されている。第２部分４ｂの表裏両側に隣接する部材は、第２部分４ｂの位置で引張部材４が厚み方向のどの部材間に位置するかにより決まるものである。すなわち、第２部分４ｂの表裏両側に隣接する部材は、図３及び図４に示す例では、引張部材４の第２部分４ｂと吸収体３とが重なる領域では吸収体３及びトップシート２となり、エンドフラップＥＦではトップシート２及びバックシート１となる。一方、図９に示す例では、第２部分４ｂの表裏両側に隣接する部材は、トップシート２及びバックシート１であり、図１３（ｂ）に示す例ではバックシート１及び液不透過性シート１ｉである。
【００３５】
本パッドタイプ吸収性物品１０は、引張部材４の摘み部４ｄを摘まんで引張部材４を引き出し、引張部材４の通過部分を引張部材４の通過方向に収縮しつつ、その収縮状態でバランスする（又はバランスしやすい）形状に変形保持領域Ｔを変形させると、引張部材４を有しないものと比べて、変形が保持される。これは、引き出した引張部材４が、その表裏両側に圧接する部材との摩擦力により、あるいは引張部材４を巻き付けて、巻き付けた部分とパッドタイプ吸収性物品との間に挟む等により引き込まれなくなり（元に戻らなくなり）、引張部材４の通過部分に作用する収縮力が維持される結果、変形形状が保持されることによるものである。
【００３６】
例えば、図３及び図４に示す例のように、吸収体３とトップシート２との間を通り、吸収体３の縦方向ＬＤの一端部から、縦方向ＬＤに沿って吸収体３を横断して、少なくともパッドタイプ吸収性物品１０の他端部まで延びる、引張部材４を含む場合、この引張部材４を引き出すと、トップシート２側が縦方向ＬＤに収縮するため、変形保持領域Ｔはトップシート２が曲率中心側となるような曲がった形状に変形しやすい（バランス形状）。よって、図５に示すように、本パッドタイプ吸収性物品１０は筒状に変形するのに適しており、そのため男性巻きに適している。図示しないが、円錐状や円錐台状の変形にも適することはいうまでもない。また、同様の理由により、本パッドタイプ吸収性物品１０は、図６に示すようにトップシート２が曲率中心側となるような曲がった形状の部分を縦方向ＬＤに複数有する蛇腹状に変形するのにも適している。また、図１３（ａ）（ｂ）に示すように、吸収体３と液不透過性シート１ｉとの間又は液不透過性シート１ｉとバックシート１との間を通り、吸収体３の縦方向ＬＤの一端部から、縦方向ＬＤに沿って吸収体３を横断して、少なくともパッドタイプ吸収性物品１０の他端部まで延びる、引張部材４を含むのも好ましい形態であり、この場合、図示しないが筒状に変形した場合には外周面がトップシート２となる。
【００３７】
縦方向ＬＤに沿って吸収体３を横断する引張部材４を設ける場合、図１２に示すように、引張部材４は横方向ＷＤに間隔を空けて複数本設けることができる。この場合、引張部材４は横方向ＷＤの中央を通る中心線に関して線対称に設けると好ましい。
【００３８】
また、図７〜図１０に示すように、サイドフラップＳＦにおける縦方向ＬＤの一端部から、縦方向ＬＤに沿って、少なくともサイドフラップＳＦにおける縦方向ＬＤの他端部まで延びる、引張部材４を含む場合、この引張部材４を引き出すと、吸収体３を有しないサイドフラップＳＦが縦方向ＬＤに収縮するため、変形保持領域Ｔはトップシート２が曲率中心側となるような曲がった形状、及びバックシート１が曲率中心側となるような曲がった形状の、いずれにも変形しやすい（バランス形状）。よって、図１１に示すように、本パッドタイプ吸収性物品１０は円錐台状に変形するのに適しており、そのため男性巻きに適している。図示しないが、筒状や円錐状の変形にも適することはいうまでもない。特に、引張部材４を引き出すことにより、サイドフラップＳＦを渦巻き状にきつく絞ることができるため、先端部が閉じた男性巻きを実現できるという利点もある。
【００３９】
移動通路５の幅（引張部材４の長手方向と直交する方向。この場合、横方向ＷＤの寸法。）は、図１に示す例のように変化していても、図７及び図８に示す例のように長手方向に一定であってもよい。パッドタイプ吸収性物品１０からの引張部材４の出口部分の幅Ｗ１は狭いことが望ましく、７〜３０ｍｍ程度とすると好ましい。蛇腹状の変形に適したものとする場合、出口部分を除く大部分（例えば自由部分４ｃの９０％以上の部分）において、移動通路５の幅Ｗ２は２０ｍｍ以上であることが好ましい。
【００４０】
パッドタイプ吸収性物品１０は、図１〜図４に示す例の縦方向ＬＤに沿って吸収体３を横断する引張部材４と、図７〜図１０に示すサイドフラップＳＦを通る引張部材４の両方を備えることもできる。この場合、ユーザーが任意に引張部材４を選択して引き出すことにより、所望の形状に変形することができる。
【００４１】
高吸収性ポリマーは、排泄物の液分を吸収する際に膨張を伴う。そのため、高吸収性ポリマーの膨張が阻害されることは吸収が阻害されることを意味する。しかし、パッドタイプ吸収性物品１０を筒状等に変形すると、吸収体３は部分的に圧縮されるため、そのまま排泄物の液分を吸収しようとすると、高吸収性ポリマーの膨張（吸収）が阻害される。これに対して、引張部材４の第１部分４ａが排泄物の液分と接触可能な位置に設けられているとともに、水溶性接着剤ＨＭ１により表裏いずれか一方側又は両側に隣接する部材に固定されているのは好ましい。これにより、引張部材４の第１部分４ａと排泄物の液分との接触により、引張部材４の固定が外れる。つまり、パッドタイプ吸収性物品１０における引張部材４の通過部分が引張部材４に対して移動可能となり、引張部材４による変形保持作用が弱くなる。この結果、吸収体３（高吸収性ポリマー）の膨張力により、その膨張を許容するように、パッドタイプ吸収性物品１０の筒状等の形状が広がることができる（緩くなる）。よって、排泄物の液分を吸収する際の吸収阻害を低減することができる。この場合、第１部分４ａの位置は適宜定めることができるが、変形保持領域Ｔを広く確保する場合には、第１部分４ａは、吸収体３と重なる位置又は吸収体３の周縁に近接した位置にのみ設けられていると好ましい。
【００４２】
引張部材４は、天然繊維や化学繊維を編むことにより形成したものや、不織布等の繊維製シートを帯状にしたもの等、細長状の部材であれば特に限定なく用いることができ、長手方向に弾性伸縮しないものも用いることができるが、長手方向に弾性伸縮する弾性部材であると好ましい。引張部材４がこのような弾性部材であると、引張部材４を引き出して変形保持領域Ｔを変形するのに伴い弾性部材が伸長し、その収縮力が変形保持領域Ｔにおける引張部材４の通過部分に作用するため、変形状態が弾力的に保持され、装着者の身体表面に対するフィット性が良好となる。また、引張部材４が弾性伸長可能であるため、前述の吸収阻害の低減を図ることもできる。弾性部材としては、１本又は複数本の細長状のゴムを１対の不織布間に挟んだ組立部材であっても、糸状、紐状、帯状のゴムのように、それ自体で弾性伸縮する材料であってもよい。このようなゴム材料としては、スチレン系ゴム、オレフィン系ゴム、ウレタン系ゴム、エステル系ゴム、ポリウレタン、ポリエチレン、ポリスチレン、スチレンブタジエン、シリコーン、ポリエステル等、通常使用される素材を用いることができる。特に、引張部材４がゴム等の弾性材そのものであると、表面の摩擦力が強くなり、一度引き出した引張部材４が引き込まれにくくなるため好ましい。
【００４３】
パッドタイプ吸収性物品１０を製造する場合、個々のパッドタイプ吸収性物品１０となる部分がＭＤ方向に繰り返す連続帯を形成した後に、ＭＤ方向に隣接する個々のパッドタイプ吸収性物品１０となる部分の境界で切断する方法が一般的である。このような製造方法では、引張部材４を製品の周縁から突出させることは不可能ではないが、容易ではない。これに対して、図１４に示す例のように、エンドフラップＥＦにミシン目１１ｍを介して切離し可能に連結された分離部１１を設け、この分離部に引張部材４の摘み部４ｄを固定すると、引張部材４を製品の周縁から突出させなくとも済むため、製造が容易となるだけでなく、引張部材４の摘み部４ｄを摘まみやすくなるという利点ももたらされる。なお、図示例はエンドフラップＥＦに分離部を設けた例であるが、引張部材４が横方向ＷＤに延びる場合にはサイドフラップＳＦに分離部を設けることができる。また、図示例では、引張部材４の摘み部４ｄは、分離部のトップシート２及びバックシート１の間に挟まれ、それらに対して接着剤ＨＭにより固定されているが、他の固定手段を用いることも可能である。
【００４４】
同様の製造上の理由により、第１部分４ａは、図示例のように引張部材４の端を含まなくても（離れていても）よい。
【００４５】
＜明細書中の用語の説明＞
明細書中の以下の用語は、明細書中に特に記載が無い限り、以下の意味を有するものである。
【００４６】
・「前後方向」とは図中に符号ＬＤで示す方向（縦方向）を意味し、「幅方向」とは図中にＷＤで示す方向（左右方向）を意味し、前後方向と幅方向とは直交するものである。
【００４７】
・「表側」とは着用した際に着用者の肌に近い方を意味し、「裏側」とは着用した際に着用者の肌から遠い方を意味する。
【００４８】
・「表面」とは部材の、着用した際に着用者の肌に近い方の面を意味し、「裏面」とは着用した際に着用者の肌から遠い方の面を意味する。
【００４９】
・「面積率」とは単位面積に占める対象部分の割合を意味し、対象領域（例えばカバー不織布）における対象部分（例えば孔）の総和面積を当該対象領域の面積で除して百分率で表すものである。対象部分が間隔を空けて多数設けられる形態では、対象部分が１０個以上含まれるような大きさに対象領域を設定して、面積率を求めることが望ましい。例えば、孔の面積率は、例えばＫＥＹＥＮＣＥ社の商品名ＶＨＸ−１０００を使用し、測定条件を２０倍として、以下の手順で測定することができる。
（１）２０倍のレンズにセットし、ピントを調節する。穴が４×６入るように不織布の位置を調整する。
（２）孔の領域の明るさを指定し、孔の面積を計測する。
（３）「計測・コメント」の「面積計測」の色抽出をクリックする。孔の部分をクリックする。
（４）「一括計測」をクリックし、「計測結果ウィンドを表示」にチェックを入れ、ＣＳＶデータで保存をする。
【００５０】
・「伸長率」は、自然長を１００％としたときの値を意味する。例えば、伸長率が２００％とは、伸長倍率が２倍であることと同義である。
【００５１】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【００５２】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００５３】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００５４】
・吸水量は、ＪＩＳ  Ｋ７２２３−１９９６「高吸水性樹脂の吸水量試験方法」によって測定する。
【００５５】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【００５６】
・「展開状態」とは、収縮や弛み無く平坦に展開した状態を意味する。
【００５７】
・各部の寸法は、特に記載が無い限り、自然長状態ではなく展開状態における寸法を意味する。
【００５８】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００５９】
本発明は、筒状等に変形して使用されるパッドタイプ吸収性物品に利用可能である。
【符号の説明】
【００６０】
ＥＦ…エンドフラップ、ＨＭ…接着剤、ＬＤ…縦方向、ＳＦ…サイドフラップ、Ｔ…変形保持領域、ＷＤ…横方向、１…バックシート、１ｉ…液不透過性シート、１ｎ…外装不織布、２…トップシート、３…吸収体、４…引張部材、４ａ…第１部分、４ｂ…第２部分、４ｃ…自由部分、４ｄ…摘み部、５…移動通路、１０…パッドタイプ吸収性物品、１１…分離部。
【図１】
2020130647.tif 000003
【図２】
2020130647.tif 000004
【図３】
2020130647.tif 000005
【図４】
2020130647.tif 000006
【図５】
2020130647.tif 000007
【図６】
2020130647.tif 000008
【図７】
2020130647.tif 000009
【図８】
2020130647.tif 000010
【図９】
2020130647.tif 000011
【図１０】
2020130647.tif 000012
【図１１】
2020130647.tif 000013
【図１２】
2020130647.tif 000014
【図１３】
2020130647.tif 000015
【図１４】
2020130647.tif 000016